(57)【特許請求の範囲】
【請求項１】
リム部材及びテンプル部材を備える眼鏡フレームと、
前記リム部材に固定され、前記リム部材から前方に突出する球面状部を備える目玉部材と、
前記目玉部材の前記球面状部を被覆及び露出するよう回動自在に設けられる回動瞼部材と、
前記回動瞼部材を前記目玉部材の前記球面状部に対して露出する方向に付勢する付勢部材と、
前記付勢部材の付勢力に抗して前記回動瞼部材を前記目玉部材の前記球面状部に対して被覆する方向に回動させる操作部材と、
を有し、
前記操作部材は、人の顎に係止する顎係止部を有することを特徴とする眼鏡玩具。
【請求項２】
前記リム部材は、ブリッジ部により連結される枠状リムと、前記枠状リムに固定されて、前記枠状リムの枠内の上部及び下部から前方に突出する球面部を備える断面扇形状の固定瞼部材と、を有し、前記回動瞼部材は、前記目玉部材と前記固定瞼部材間を回動することを特徴とする請求項１に記載の眼鏡玩具。
【請求項３】
前記目玉部材は、前記球面状部の頂部に開口部を備えることを特徴とする請求項１又は請求項２に記載の眼鏡玩具。
【請求項４】
前記リム部材は、前記テンプル部材を前記リム部材と折り畳み自在に接続する蝶番部材が設けられ、前記付勢部材は、前記蝶番部材の内部に配置されることを特徴とする請求項２又は請求項３に記載の眼鏡玩具。
【請求項５】
前記操作部材は、紐であり、
前記テンプル部材の内側には、前記テンプル部材の長手方向に複数形成される前記紐がガイドされるガイド部が形成されることを特徴とする請求項１乃至請求項４の何れか記載の眼鏡玩具。
【発明の詳細な説明】
【技術分野】
【０００１】
本発明は、余興等で楽しめる眼鏡玩具に関する。
【背景技術】
【０００２】
従来から、目や鼻等の顔の一部を模した図柄や模型等を備えた眼鏡玩具が提供されている。そして、このような眼鏡玩具には、顔の一部を模した図柄や模型等を動かして楽しめるものもある。例えば、特許文献１には、眉毛と目を連結させて、左右の目をギヤで連結した余興用眼鏡が開示されている。この余興用眼鏡によれば、眉毛と目が連動して動くので、上がり目の表情や下がり目の表情を表すことができる。さらに、片方の目に紐を取り付けて、この紐により目と眉毛の連動操作を行うことができる。
【先行技術文献】
【特許文献】
【０００３】
【特許文献１】実開平５−４１５９６号公報
【発明の概要】
【発明が解決しようとする課題】
【０００４】
上述の従来の余興用眼鏡は、上がり目や下がり目の表情を容易に切り替えて楽しむことができるが、余興用眼鏡に設けられる眉や目が回動するだけの動きでは、やがて飽きてしまうこともある。
【０００５】
本発明は、従来とは異なる動きを取り入れて、さらに楽しむことができる眼鏡玩具を提供する。
【課題を解決するための手段】
【０００６】
本発明に係る眼鏡玩具は、リム部材及びテンプル部材を備える眼鏡フレームと、前記リム部材に固定され、前記リム部材から前方に突出する球面状部を備える目玉部材と、前記目玉部材の前記球面状部を被覆及び露出するよう回動自在に設けられる回動瞼部材と、前記回動瞼部材を前記目玉部材の前記球面状部に対して露出する方向に付勢する付勢部材と、前記付勢部材の付勢力に抗して前記回動瞼部材を前記目玉部材の前記球面状部に対して被覆する方向に回動させる操作部材と、を有し、前記操作部材は、人の顎に係止する顎係止部を有する。
【発明の効果】
【０００７】
本発明によれば、操作部材により回動瞼部材を回動させて、目をパチパチするような動作を行うことができる。そして、この動作は、口を開けたり閉めたりすることで操作部材を操作することができる。従って、人の顔の動き（口の開け閉め）と連動して、眼鏡玩具の回動瞼部材が回動するので、従来よりもさらに楽しむことができる。
【図面の簡単な説明】
【０００８】
【図１】本発明の実施形態に係る眼鏡玩具を前左上方から見た斜視図である。
【図２】本発明の実施形態に係る眼鏡玩具を後右上方から見た斜視図である。
【図３】本発明の実施形態に係る眼鏡玩具を前上方から見た分解斜視図である。
【図４】本発明の実施形態に係る眼鏡玩具を後下方から見た分解斜視図である。
【図５】本発明の実施形態に係る眼鏡玩具の蝶番部材を省略し、回動瞼部材の回動動作を示す側面図であり、（ａ）は目玉部材の露出状態を示し、（ｂ）は目玉部材の被覆状態を示す図である。
【図６】本発明の実施形態に係る眼鏡玩具の目玉部材の露出時における使用状態を示す正面図である。
【図７】本発明の実施形態に係る眼鏡玩具の目玉部材の被覆時における使用状態を示す正面図である。
【発明を実施するための形態】
【０００９】
以下、図に基づいて、本発明の実施形態を説明する。図１に示す眼鏡玩具１０は、操作部材である紐６０の左紐６１と右紐６２を結んで顎係止部６５（図６及び図７参照）として顎に掛けて装着し、口を開ける（すなわち、顎で紐６０を引く）と、回動瞼部材３０が回動されて楽しめる眼鏡を模した玩具である。ここで、以下の説明における左右とは、眼鏡玩具１０を装着した場合における左手側を左とし、右手側を右とする。前後及び上下の方向は、眼鏡玩具１０の装着時における前後及び上下とする。
【００１０】
図１は眼鏡玩具１０を前左上方から見た斜視図である。図２は眼鏡玩具１０を後右上方から見た斜視図である。図３は眼鏡玩具１０を前上方から見た分解斜視図である。図４は眼鏡玩具１０を後下方から見た分解斜視図である。
【００１１】
図１〜図４に示すように、眼鏡フレーム２０は、リム部材２２と、２本のテンプル部材２４と、を備える。図３及び図４に示すように、リム部材２２は、ブリッジ部２２５により連結される枠状リム２２１と、固定瞼部材２２８と、を備える。各枠状リム２２１は、外側の端部にスリット２２２が形成される。スリット２２２は、前後方向に形成されている。従って、各枠状リム２２１の外形は、前方から見て略Ｃ環状とされている。各枠状リム２２１は、Ｃ環状の円筒形状とされる円筒部２２１ａと、この円筒部２２１ａの前端から内径方向にＣ環状に突出される環状突出部２２１ｂが形成されている。各円筒部２２１ａの外表面は、スリット２２２が形成される端部が凹状となるようスリット２２２を挟んで２箇所に段部２２１ｃが形成されている。各段部２２１ｃには、それぞれ１つのボス２２３が立設する。また、各円筒部２２１ａの内周面には、３つのボス２２４（全ては図示されていない）が円周方向略等間隔に配置されている。
【００１２】
各枠状リム２２１の各円筒部２２１ａは、互いに向き合う位置（すなわち、段部２２１ｃが形成される端部に対して反対側の位置）にて、略板状に形成されるブリッジ部２２５により接続されている。ブリッジ部２２５からやや下方近傍の円筒部２２１ａの外周面には、後方に突出するパット部２２１ａ１が形成されている。
【００１３】
図１に示すように、各枠状リム２２１の枠内には、それぞれ固定瞼部材２２８が固定されている。各固定瞼部材２２８は、上部及び下部に、それぞれ球面部２２８ａ，２２８ｂが形成されている。球面部２２８ａ，２２８ｂは、縦断面を扇形状として外表面が凸曲面の球面状となるよう形成されている。換言すれば、球面部２２８ａ，２２８ｂは、球体をくし形切りした形状とされている。図４に特に示すように、下部の球面部２２８ｂの基端部外周には、径方向に突出して形成される略半円状の外周円弧部２２８ｃが形成されている。図３に特に示す上部の球面部２２８ａの外表面は、この外周円弧部２２８ｃの外表面と連続している。従って、下部の球面部２２８ｂの外表面と外周円弧部２２８ｃの外表面との間には段部２２８ｃ１が形成されている。
【００１４】
各上部の球面部２２８ａ及び外周円弧部２２８ｃの基端部には、フランジ部２２８ｄが形成されている。各フランジ部２２８ｄの後面には、後方に向けて立設する３つのボス固定部２２８ｅが後面から見て円周方向略等間隔の角度で配置されている。ボス固定部２２８ｅの前側は、略半円筒状のボス収納部２２８ｅ１が形成される。ボス固定部２２８ｅの後側であって、ボス収納部２２８ｅ１の後端部分に相当する部位は、円筒状のボス当接部２２８ｅ２が形成されている。ボス当接部２２８ｅ２の直径は、ボス収納部２２８ｅ１の外径よりも小さく形成されている。
【００１５】
ボス固定部２２８ｅと枠状リム２２１のボス２２４は、互いに合うよう配置されている。そして、固定瞼部材２２８の枠状リム２２１への取り付けにおいて、ボス２２４は、ボス固定部２２８ｅのボス収納部２２８ｅ１に収納され、ボス２２４の端面がボス当接部２２８ｅ２の前方側の端面に当接される。このとき、フランジ部２２８ｄの前面は、枠状リム２２１の環状突出部２２１ｂの後面に当接する。そして、ボス固定部２２８ｅのボス当接部２２８ｅ２の後方側から図示しない木ねじ等をボス固定部２２８ｅの孔にねじ込むことで、枠状リム２２１に固定瞼部材２２８を固定することができる。図１に示すように、固定瞼部材２２８が枠状リム２２１に固定されると、枠状リム２２１の上部から球面部２２８ａが前方に突出し、枠状リム２２１の下部からは球面部２２８ｂが前方に突出する。
【００１６】
また、図４に示すように、固定瞼部材２２８のフランジ部２２８ｄの後面には、後方に向けて円筒状のボス２２８ｊが、各固定瞼部材２２８に２個ずつ形成されている。また、各固定瞼部材２２８の外側端には、フランジ部２２８ｄから前方に向けて切り欠かれて側面視Ｕ字状に形成される軸支部２２８ｆが形成されている。固定瞼部材２２８の外側端は平坦面２２８ｇとされており、軸支部２２８ｆ周りにおける平坦面２２８ｇ上には、側面視略Ｃ環状に立設するバネ収容係止部２２８ｈが形成されている。バネ収容係止部２２８ｈの略Ｃ環状とされる切り欠き部位は、軸支部２２８ｆと合致している。さらに、軸支部２２８ｆと対向する固定瞼部材２２８の内面には、前後方向を長手方向としたＵ字溝形状の軸支部２２８ｉが形成されている。
【００１７】
また、図１に示すように、リム部材２２には、各枠状リム２２１に目玉部材４０が配置されている。そして、各回動瞼部材３０は、各目玉部材４０の球面状部４０ａを被覆及び露出するよう回動自在に設けられる。
【００１８】
各回動瞼部材３０は、図３及び図４に示すように、縦断面を扇形状として外表面が凸曲面状の球面となるよう形成されている。換言すれば、各回動瞼部材３０は、中空の球体を略くし形切りした形状とされている。回動瞼部材３０の前端縁には、円弧状に突出する円弧状突起３０ｄが形成されている。また、各回動瞼部材３０の両端には、平坦面３０ａが形成されている。各回動瞼部材３０の向かい合う各平坦面３０ａからは、それぞれ円柱状の回動軸３０ｂが突出して形成されている。反対方向を向く平坦面３０ａ（すなわち、外側の平坦面３０ａ）には、それぞれ円柱状の回動軸３０ｃが形成されている。
【００１９】
回動軸３０ｃの端部には、それぞれ回動伝達部３１が形成されている。回動伝達部３１は、円筒形状の本体筒３１ａの外周から径方向外側に突出する紐係止部３１ｂと、板状に本体筒３１ａの外周から径方向外側に突出するバネ係止部３１ｃが形成されている。各本体筒３１ａの外周であって、バネ係止部３１ｃと平坦面３０ａとの間には、それぞれ、付勢部材であるねじりコイルバネ３２が設けられている。各ねじりコイルバネ３２の一方の脚は、バネ係止部３１ｃに当接して係止されている。
【００２０】
各回動瞼部材３０の回動軸３０ｂは、各固定瞼部材２２８が向かい合う側の内面に設けられる軸支部２２８ｉに回動自在に支持される。一方、各回動瞼部材３０の回動軸３０ｃは、固定瞼部材２２８の外側にある軸支部２２８ｆに回動自在に支持される。そして、ねじりコイルバネ３２は、バネ収容係止部２２８ｈ内に収納されて、ねじりコイルバネ３２の他方の脚がバネ収容係止部２２８ｈに係止される。一方、前述の通り、ねじりコイルバネ３２の一方の脚はバネ係止部３１ｃに当接して係止されている。従って、ねじりコイルバネ３２により、回動瞼部材３０は、円弧状突起３０ｄが上部の球面部２２８ａの縁に当接する方向（すなわち、目玉部材４０の球面状部４０ａが露出する方向）に付勢されている。
【００２１】
目玉部材４０は、図１に示すように、リム部材２２から前方に球面状部４０ａが突出するようにリム部材２２（具体的には、固定瞼部材２２８）に固定される。そして、目玉部材４０は、回動瞼部材３０の下側に配置される。換言すれば、回動瞼部材３０は、目玉部材４０と固定瞼部材２２８間を回動するよう配置されている。図３，４に示すように、目玉部材４０は、略半球状に形成されている。目玉部材４０の頂部である中心は開口部４０ｂが形成されて、眼鏡玩具１０を装着した場合の視界を確保することができる。開口部４０ｂの外周には、同心円形の環状段部４０ｃが形成されて、より一層目玉模様が表現されている。
【００２２】
目玉部材４０の両端は平坦面４０ｄが形成されている。各平坦面４０ｄには、前方に折り返すよう鉤状に形成される被ガイド部４１が形成されている。外側の被ガイド部４１ａは、固定瞼部材２２８の軸支部２２８ｆに挿入される。被ガイド部４１ａと反対側の（すなわち内側の）被ガイド部４１ｂは、固定瞼部材２２８の軸支部２２８ｉに挿入される。これにより、各軸支部２２８ｆ，２２８ｉが支持する回動軸３０ｂ，３０ｃは抜け止めされる。
【００２３】
さらに、目玉部材４０の端縁には、外側に突出するように各２つの固定部４２が形成されている。固定部４２は、それぞれ、各固定瞼部材２２８の２つのボス２２８ｊに合わせて配置されている。固定部４２の前面は、ボス２２８ｊの端面と当接する。従って、固定部４２の後方から図示しない木ねじをねじ込むことで、目玉部材４０は固定瞼部材２２８に固定される。
【００２４】
各テンプル部材２４は、それぞれ蝶番部材５０を介してリム部材２２と接続される。より具体的には、各蝶番部材５０は、略シェル状に形成されて、後端に軸支持部５１が形成されている。軸支持部５１は、円柱の軸を回動自在に挟持可能に形成されるとともに、圧入して保持可能な嵌め込み部５１ａが形成されている。一方、長尺状に形成される各テンプル部材２４の前端には、それぞれ軸部２４ａが形成される。この軸部２４ａが嵌め込み部５１ａを介して軸支持部５１により回動自在に保持される。これにより、各テンプル部材２４は、リム部材２２に対して折り畳み自在とされる。
【００２５】
さらに、各蝶番部材５０には、内部にボス当接部５２ａを備える固定部５２がそれぞれ２個ずつ形成されている。ボス当接部５２ａに枠状リム２２１のボス２２３が当接するようにして、図示しない木ねじ等で蝶番部材５０は枠状リム２２１に固定される。このとき、蝶番部材５０の内部に回動伝達部３１及びねじりコイルバネ３２が収められる。
【００２６】
テンプル部材２４の前方のやや下方の内側には、ガイド部２４１が形成されている。ガイド部２４１は、断面が略Ｃ環状とされる３つのガイド２４１ａ，２４１ｂ，２４１ｃにより形成されている。ガイド２４１ａ，２４１ｂ，２４１ｃは、テンプル部材２４の長手方向に沿って並べて配置されている。ガイド２４１ａ，２４１ｂ，２４１ｃには、紐６０が通される。何れのガイド２４１ａ，２４１ｂ，２４１ｃに紐６０を通すかによって、作動点である人の顎から紐６０が係止する紐係止部３１ｂまでの距離を変化させて、回動瞼部材３０を回動させるための紐６０のストロークを調整することができる。例えば、顔の小さな子供が眼鏡玩具１０で遊ぶ場合には、前端のガイド２４１ａのみ通して使用できる。また、子供より大きい顔の大人の男性の場合には、３つのガイド２４１ａ，２４１ｂ，２４１ｃに全て紐６０を通して使用すれば、スムーズな回動瞼部材３０の回動動作を行うことができる。
【００２７】
回動瞼部材３０は、回動軸３０ｂ，３０ｃ周りに回動する。ここで、図５（ａ）は、目玉部材４０の球面状部４０ａが露出している状態を示し、図５（ｂ）は、目玉部材４０の球面状部４０ａが回動瞼部材３０により被覆されている状態を示す。なお、図５（ａ），（ｂ）は、蝶番部材５０が省略されている。そして、眼鏡玩具１０は、図６に示すように装着される。なお、本実施形態においては、左紐６１と右紐６２は、互いを結んで顎係止部６５として結合しているが、着脱自在な結合部材を用いて左紐６１と右紐６２を結合するようにしても良い。
【００２８】
そして、図７に示すように、口を開ける動作を行うと、顎の下端が下方に移動した分、紐６０が下方に移動する。すると、図５（ｂ）の矢印に示すように、紐６０が後方に引かれることとなる。このとき、回動伝達部３１がねじりコイルバネ３２の付勢力に抗して回動する。すると、回動瞼部材３０は、目玉部材４０の球面状部４０ａを覆うように回動する。回動瞼部材３０の回動は、円弧状突起３０ｄが下部の球面部２２８ｂの縁と当接して規制される。そして、回動瞼部材３０は、ねじりコイルバネ３２により目玉部材４０の球面状部４０ａを露出する方向に付勢されているので、図６に示すように口を閉じれば、図５（ａ）の状態に戻される。このとき、回動瞼部材３０の回動は、円弧状突起３０ｄが上部の球面部２２８ａの縁と当接して規制される。
【００２９】
このようにして、眼鏡玩具１０によれば、口の開閉に伴って、回動瞼部材３０を回動させることができるので、あたかも口の開閉動作と連動して目をパチパチするように眼鏡玩具１０を動作させることができる。従って、眼鏡玩具１０の変化と、装着した人の顔の変化とが同期して、より一層楽しむことができる。
【００３０】
また、眼鏡玩具１０は、球面部２２８ａ，２２８ｂを備える固定瞼部材２２８が形成されて、回動瞼部材３０は目玉部材４０と固定瞼部材２２８間を回動する。これにより、さらにコミカルな形態の眼鏡玩具１０とすることができる。そして、目の側方に位置する蝶番部材５０の内部にねじりコイルバネ３２や、ねじりコイルバネ３２が係止される回動伝達部３１が収められる。これにより、ねじりコイルバネ３２や回動伝達部３１を蝶番部材５０でカバーすることができる。
【００３１】
以上、本発明の実施形態を説明したが、本発明は本実施形態によって限定されることはなく、種々の変更を加えて実施することができる。例えば、本実施形態においては、操作部材として紐６０としたが、これに限られず、顎に係止することが出来れば成形品で接続するよう形成することもできる。
【符号の説明】
【００３２】
１０        眼鏡玩具              ２０        眼鏡フレーム
２２        リム部材              ２４        テンプル部材
２４ａ      軸部                  ３０        回動瞼部材
３０ａ      平坦面                ３０ｂ      回動軸
３０ｃ      回動軸                ３０ｄ      円弧状突起
３１        回動伝達部            ３１ａ      本体筒
３１ｂ      紐係止部              ３１ｃ      バネ係止部
３２        ねじりコイルバネ      ４０        目玉部材
４０ａ      球面状部              ４０ｂ      開口部
４０ｃ      環状段部              ４０ｄ      平坦面
４１        被ガイド部            ４１ａ      被ガイド部
４１ｂ      被ガイド部            ４２        固定部
５０        蝶番部材              ５１        軸支持部
５１ａ      嵌め込み部            ５２        固定部
５２ａ      ボス当接部            ６０        紐
６１        左紐                  ６２        右紐
６５        顎係止部
２２１      枠状リム              ２２１ａ    円筒部
２２１ａ１  パット部              ２２１ｂ    環状突出部
２２１ｃ    段部                  ２２２      スリット
２２３      ボス                  ２２４      ボス
２２５      ブリッジ部            ２２８      固定瞼部材
２２８ａ    球面部                ２２８ｂ    球面部
２２８ｃ    外周円弧部            ２２８ｃ１  段部
２２８ｄ    フランジ部            ２２８ｅ    ボス固定部
２２８ｅ１  ボス収納部            ２２８ｅ２  ボス当接部
２２８ｆ    軸支部                ２２８ｇ    平坦面
２２８ｈ    バネ収容係止部        ２２８ｉ    軸支部
２２８ｊ    ボス                  ２４１      ガイド部
２４１ａ    ガイド                ２４１ｂ    ガイド
２４１ｃ    ガイド
【図１】
0006628363.tif 000002
【図２】
0006628363.tif 000003
【図３】
0006628363.tif 000004
【図４】
0006628363.tif 000005
【図５】
0006628363.tif 000006
【図６】
0006628363.tif 000007
【図７】
0006628363.tif 000008